(57)【要約】【課題】キャリア部材をガイドレールの外側から嵌め込むことができ、かつ、製造性のよい対象物移動装置を提供すること。【解決手段】キャリアプレート３００は、ガイドレール２００の短手方向の一端側と回転可能かつ摺動可能に嵌合する収容部３１０と、ガイドレール２００の短手方向の他端側と摺動可能に嵌合する外れ止め部３２０と、ガイドレール２００を外れ止め部３２０に近接する方向へと付勢する付勢部３３０とを有する。【選択図】図６
2017002673.tif 000002
【特許請求の範囲】
【請求項１】
駆動部と、
対象物が取り付けられるキャリア部材と、
一端が前記駆動部に取付けられ、他端が前記キャリア部材に取付けられ、前記駆動部の駆動力を前記キャリア部材に伝達するワイヤと、
前記キャリア部材の移動を案内するガイドレールと、を備え、前記対象物を移動させる対象物移動装置であって、
前記ガイドレールは、
前記ガイドレールの長手方向に延びる第１壁部と、
前記ガイドレールの長手方向に延び、前記第１壁部の幅方向の一方の端部と一端が接続する第２壁部と、
前記ガイドレールの長手方向に延び、前記第１壁部の他方の端部に設けられ、前記ガイドレールの短手方向に幅を有する縁部と、を有し、
前記キャリア部材は、
前記第１壁部と前記縁部とを収容し、内壁が前記第１壁部および前記縁部と摺動可能であり、前記ガイドレールの長手方向に対して垂直な方向から前記縁部を挿入して収容した状態で前記ガイドレールの長手軸周り方向に回転可能な空間を有する収容部と、
前記第２壁部の他端側から前記ガイドレールと摺動可能に嵌合する外れ止め部と、
前記ガイドレールを前記外れ止め部に近接する方向へと付勢する付勢部とを有し、
前記キャリア部材を前記収容部に前記縁部を収容した状態で、前記第１壁部と前記縁部との少なくとも一方を中心として前記キャリア部材を前記ガイドレールの長手軸周り方向に回転して、前記キャリア部材を前記ガイドレールの外側から嵌め込むことにより、前記付勢部と前記外れ止め部とにより前記キャリア部材が前記ガイドレールと摺動可能に嵌合する、
対象物移動装置。
【請求項２】
前記第１壁部と対向し、前記第２壁部の他端と接続する第３壁部を有し、
前記外れ止め部が前記第３壁部の基端を抱えるようにガイドレールと嵌合する、
請求項１に記載の対象物移動装置。
【請求項３】
前記外れ止め部が、前記キャリア部材の本体より延出する腕部と、前記腕部の先端に設けられた爪部とを有する、
請求項１または請求項２に記載の対象物移動装置。
【請求項４】
前記第２壁部と前記第３壁部との接続部が外側に凸となる曲面を有し、前記爪部が曲面と嵌合する、
請求項３に記載の対象物移動装置。
【請求項５】
請求項１〜請求項４のいずれかに記載の対象物移動装置を用い、前記対象物が窓ガラスである、
窓ガラス昇降装置。
【発明の詳細な説明】
【技術分野】
【０００１】
本発明は、キャリア部材と、キャリア部材の移動を案内するガイドレールとを有し、キャリア部材に取り付けられる対象物をガイドレールに沿って移動させる対象物移動装置に関する。
【背景技術】
【０００２】
ガイドレールによってキャリア部材が案内される装置の一例として、ウインドレギュレータが知られている。ウインドレギュレータの構成の一例として、昇降用ケーブルと、キャリアプレート（キャリア部材）と、ガイドレールと、ドラムと、ケーブルガイドとを備える構成が挙げられる。このウインドレギュレータでは、昇降用ケーブルの一端がキャリアプレートに連結され、他端がドラムに連結されるとともに、キャリアプレートを昇降方向に案内するガイドレールの上下両端に設けられたケーブルガイドに掛け回される。ドラムが駆動モータにより回転駆動されることで昇降用ケーブルが巻き取り・繰り出され、ガイドレールに嵌合したキャリアプレートが昇降用ケーブルに牽引されることで、ガイドレールに沿ってキャリアプレートを上昇または下降させる。これにより、キャリアプレートに保持された窓ガラスが昇降移動する。
【０００３】
キャリアプレートをガイドレールに嵌合させる場合、ガイドレールの一端からキャリアプレートを差し込む構造を採用したり、キャリアプレートに連結されたばね部材や弾性変形可能なレール保持部材などを設ける構造を採用したりすることが挙げられる（例えば、特許文献１参照）。
【先行技術文献】
【特許文献】
【０００４】
【特許文献１】実開平６−１２６８４号公報
【発明の概要】
【発明が解決しようとする課題】
【０００５】
しかし、ガイドレールの一端から差し込むことが可能な構造をキャリアプレートに採用した場合には、ガイドレールの差し込み作業において、樹脂製のキャリアプレートが削れることのないように慎重に差し込み作業をしなければならない。また、上述したような特許文献１に記載のキャリアプレートとガイドレールの係合構造では、ばね部材や弾性変形可能なレール保持部材をキャリアプレートの一部に設けるため、部品点数や製造工程が増加し、ひいてはウインドレギュレータの製造性が悪い。そのため、製造性の良いウインドレギュレータが求められている。
【０００６】
本発明は、以上の点を考慮してなされたものであり、キャリア部材をガイドレールの端部から差し込むことなく組み付けることができ、製造性の良い対象物移動装置を提供する。
【課題を解決するための手段】
【０００７】
本発明の対象物移動装置の一つの態様は、駆動部と、対象物が取り付けられるキャリア部材と、一端が前記駆動部に取付けられ、他端が前記キャリア部材に取付けられ、前記駆動部の駆動力をキャリア部材に伝達するワイヤと、前記キャリア部材の移動を案内するガイドレールと、を備え、前記対象物を移動させる対象物移動装置であって、前記ガイドレールは、前記ガイドレールの長手方向に延びる第１壁部と、前記ガイドレールの長手方向に延び、前記第１壁部の幅方向の一方の端部と一端が接続する第２壁部と、前記ガイドレールの長手方向に延び、前記第１壁部の他方の端部に設けられ、前記ガイドレールの短手方向に幅を有する縁部と、を有し、前記キャリア部材は、前記第１壁部と前記縁部とを収容し、内壁が前記第１壁部および前記縁部と摺動可能であり、前記ガイドレールの長手方向に対して垂直な方向から前記縁部を挿入して収容した状態で前記ガイドレールの長手軸周り方向に回転可能な空間を有する収容部と、前記第２壁部の他端側から前記ガイドレールと摺動可能に嵌合する外れ止め部と、前記ガイドレールを前記外れ止め部に近接する方向へと付勢する付勢部とを有し、前記キャリア部材を前記収容部に前記縁部を収容した状態で、前記第１壁部と前記縁部との少なくとも一方を中心として前記キャリア部材を前記ガイドレールの長手軸周り方向に回転して、前記キャリア部材を前記ガイドレールの外側から嵌め込むことにより、前記付勢部と前記外れ止め部とにより前記キャリア部材が前記ガイドレールと摺動可能に嵌合する。
【発明の効果】
【０００８】
本発明によれば、キャリア部材をガイドレールの長手軸周り方向に回転して、キャリア部材をガイドレールの外側から嵌め込むので、別体であるレール保持部材をキャリア部材に取付ける必要もなく、キャリア部材をガイドレールに容易に組み付けることができるので、部品点数も少なく、製造性に優れる。
【図面の簡単な説明】
【０００９】
【図１】本発明の一実施形態によるウインドレギュレータの全体構成を示す正面図である。
【図２】図１のウインドレギュレータに用いられるガイドレールの形状を説明するための概略図である。
【図３】図１のウインドレギュレータに用いられるキャリアプレートを示す斜視図である。
【図４】図３のキャリアプレートがガイドレールに嵌合した状態を示す正面図である。
【図５】図４のＡ−Ａ線断面図である。
【図６】キャリアプレートがガイドレールに組み付けられる際の説明に供する断面図である。
【発明を実施するための形態】
【００１０】
以下、本発明の実施の形態について、図面を参照して詳細に説明する。実施の形態では、本発明の対象物移動装置を自動車のウインドレギュレータに適用した例について説明する。つまり、実施の形態では、対象物移動装置が移動させる対象物は窓ガラスである。また、以下の説明では、窓ガラスの昇降方向を基準として上下方向を規定する。
【００１１】
＜１＞ウインドレギュレータ
図１は、ウインドレギュレータ１００の正面図である。ウインドレギュレータ１００は、ガイドレール２００と、キャリア部材の一態様であるキャリアプレート３００と、上昇用ケーブル１０１と、下降用ケーブル１０２と、駆動部１０３とを備えている。
【００１２】
ガイドレール２００は、窓ガラス（図示せず）の昇降方向に沿って設けられ、キャリア部材の一態様であるキャリアプレート３００の移動を案内する（キャリアプレート３００を窓ガラスの昇降方向に案内する）部材である。ガイドレール２００の構造は後に詳述する。
【００１３】
キャリアプレート３００は、窓ガラスの下端部を保持するとともに、ガイドレール２００に嵌合して窓ガラスの昇降方向に摺動案内される部材である。キャリアプレート３００の構造は後に詳述する。
【００１４】
ガイドレール２００の上端部には、上昇用ケーブル１０１の移動方向を転換するための方向転換部材としての上部ケーブルガイド１０４が設けられている。上部ケーブルガイド１０４は、上昇用ケーブル１０１の移動方向を転換するものであればよく、例えば、ガイドレール２００またはガイドレール２００の上端部に取り付けられる上部ブラケットに回転自在に支持されたプーリーを用いることなども可能である。
【００１５】
ガイドレール２００の下端には、上昇用ケーブル１０１および下降用ケーブル１０２の巻き取りおよび繰り出しを行うための駆動部１０３が設けられている。駆動部１０３は、ドラムハウジング１０５と、ドラム１０６と、駆動モータ１０７とを有している。ドラムハウジング１０５は、ガイドレール２００の下端部に取り付けられ、上部ブラケット（図示せず）とともに、車輌のドアパネル（図示せず）にガイドレール２００を固定する。ドラム１０６は、ドラムハウジング１０５に回転自在に支持されており、上昇用ケーブル１０１および下降用ケーブル１０２の他端が連結されている。ドラム１０６が回転することにより、上昇用ケーブル１０１および下降用ケーブル１０２の巻き取りおよび繰り出しが行われる。駆動モータ１０７は、ドラムハウジング１０５に一体的に取り付けられており、ドラム１０６を正逆両方向に回転駆動する。
【００１６】
上昇用ケーブル１０１および下降用ケーブル１０２は、キャリアプレート３００を矢印ｚ（図２〜４参照）で示す上下方向に牽引するものであり、複数の金属素線および樹脂繊維素線の少なくとも一方を撚り合わせた公知のワイヤを用いることができる。
【００１７】
上昇用ケーブル１０１は、一端がキャリアプレート３００に連結され、上部ケーブルガイド１０４に掛け回されて、他端が駆動部１０３のドラム１０６に連結されている。下降用ケーブル１０２は、一端がキャリアプレート３００に連結され、他端が駆動部１０３のドラム１０６に連結されている。
【００１８】
＜２＞ガイドレール
図２は、ガイドレール２００の上下方向における中間付近の形状を示す概略図である。ガイドレール２００の材料は、例えば、ステンレススチール、アルミニウム合金などの金属材料や、その他の硬質な材料で構成されている。
【００１９】
ガイドレール２００は、ガイドレール本体部２１０と、第１屈曲部２２０と、第２屈曲部２３０とを有し、平坦な部位である、第１壁部Ｗ１、第２壁部Ｗ２、第３壁部Ｗ３および縁部Ｗ４を有している。以下、ガイドレール２００の各部について説明し、各部と各壁部との対応関係につき説明する。
【００２０】
ガイドレール本体部２１０は、ガイドレール２００の基体であり、矢印ｚで示す上下方向を長手方向として延在している。
【００２１】
第１屈曲部２２０は、ガイドレール２００の短手方向の一端側を折り曲げて形成されている。第２屈曲部２３０は、ガイドレール２００の短手方向の他端側を折り曲げて形成されている。本実施の形態の場合、第１屈曲部２２０は、ガイドレール２００の短手方向の一端側をガイドレール２００の長手方向全長に亘って略Ｓ字状に折り曲げて形成されている。第２屈曲部２３０は、ガイドレール２００の短手方向の他端側をガイドレール２００の長手方向全長に亘ってＬ字状に折り曲げて形成されている。
【００２２】
第１壁部Ｗ１は、ガイドレール２００において、その長手方向に延びる領域である。また、第２壁部Ｗ２は、ガイドレール２００において、その長手方向（上下方向）に延び、第１壁部Ｗ１の幅方向の一方の端部と一端が接続する領域である。縁部Ｗ４は、ガイドレール２００において、その長手方向に延び、第１壁部Ｗ１の他方の端部に設けられ、ガイドレール２００の短手方向に幅を有する領域である。よって、各壁部Ｗ１，Ｗ２と縁部Ｗ４を本実施形態のウインドレギュレータ１００が備えるガイドレールに対応させると、第１壁部Ｗ１は、略Ｓ字状の第１屈曲部２２０のうち、本体部２１０と略直角に設けられた部分であり、第２壁部Ｗ２は本体部２１０であり、第１壁部Ｗ１と第２壁部Ｗ２とでＬ字状が形成される。縁部Ｗ４は、第１屈曲部２２０のうち、第１壁部Ｗ１に対して略直角に設けられて第１壁部Ｗ１とＬ字状を形成する本体部２１０と略平行に設けられた領域である。さらに、ガイドレール２００は、本実施形態のように、第３壁部Ｗ３を有してもよい。第３壁部Ｗ３は、第１壁部Ｗ１と対向し、第２壁部Ｗ２の他端と接続する領域である。本実施形態においては、第３壁部Ｗ３は、第２壁部Ｗ２である本体部２１０に対して略直角に設けられて、第２壁部Ｗ２とＬ字状に形成される第２屈曲部２３０を構成する。
【００２３】
また、第２壁部Ｗ２と第３壁部Ｗ３との接続部は、外側に凸となる曲面Ｒ１を有するようになっている。曲面Ｒ１を有することによる効果は後述する。
【００２４】
本実施形態では、平板を折り曲げることで本体部２１０と両屈曲部２２０，２３０とを形成したが、他の方法（例えば平板状の部材同士の溶接など）で各部を形成してもよい。
【００２５】
＜３＞キャリアプレート
図３は、キャリアプレート３００を示す斜視図である。図４は、キャリアプレート３００がガイドレール２００に嵌合した状態を示す正面図である。図５は、図４のＡ−Ａ線断面図である。
【００２６】
図２から分かるように、キャリア部材としてのキャリアプレート３００は、収容部３１０と、外れ止め部３２０と、付勢部３３０と、を有する。キャリアプレート３００は、樹脂材料によって一体成形されている。
【００２７】
キャリアプレート３００の幅方向（図中ｘ方向）の両端には、窓ガラスの下端部を取り付けるための係合穴３０１、３０２が形成されている。さらに、キャリアプレート３００には、キャリアプレート３００をガイドレール２００に取り付けた際の上下方向（ｚ方向）に亘って、ガイドレール２００の第２壁部Ｗ２（本体部２１０）の幅にほぼ等しい幅の平坦面３０３が形成されている。これにより、キャリアプレート３００では、平坦面３０３がガイドレール２００の第２壁部Ｗ２に当接しながら、滑らかにガイドレール２００を摺動させることができる。因みに、平坦面３０３は、一様な面ではなく、複数の抜き穴が形成されている。これにより、平坦面３０３と第２壁部Ｗ２との実質的な当接量（面積）が低減されるので、ガイドレール２００との摺動抵抗が抑制される。
【００２８】
収容部３１０は、平坦面３０３の、ガイドレール２００の短手方向側に対応した一辺側に形成された溝であり、横断面が略Ｌ字状の空間を形成している（後述する図６など参照）。収容部３１０には、第１壁部Ｗ１と縁部Ｗ４とに相当する第１屈曲部２２０が収容される。また、収容部３１０は、ガイドレール２００の第１壁部Ｗ１と縁部Ｗ４とを収容し、内壁が第１壁部Ｗ１および縁部Ｗ４と摺動可能である。より具体的には、収容部３１０は、幅狭の開口と、この開口の奥に形成された開口よりも広い収容空間と、を有する。収容部３１０の開口近傍には、平坦部３０３の方向に突出する突起３１１が設けられ、突起３１１は先端にガイドレール２００が当たると、その当接力によって根元から変位可能となっている。また、突起３１１は、開口付近はテーパー状になっている。また、キャリアプレート３００は、収容部３１０の収納空間に突出する、テーパー状の凸部３１２を有する。
【００２９】
外れ止め部３２０および付勢部３３０は、収容部３１０が形成された平坦面３０３の一辺側に対向する平坦面３０３の他辺側に設けられている。本実施の形態の場合には、１つの外れ止め部３２０と、その両側に配置された２つの付勢部３３０が設けられている。外れ止め部３２０は、平坦面３０３よりも低い位置から平坦面３０３よりも若干高い位置まで立設されている。一方、付勢部３３０は、平坦面３０３より低い位置から平坦面３０３よりも若干低い位置まで立設されている。
【００３０】
本実施形態のウインドレギュレータ１００に係る外れ止め部３２０は、キャリアプレート３００の本体より延出する腕部３２１と、腕部３２１の先端に設けられた爪部３２２とを有する。爪部３２２は、腕部３２１の先端から平坦面３０３の方向に突出するように形成されている。外れ止め部３２０は、ガイドレール２００にキャリアプレート３００が取り付けられた際、ガイドレール２００の第２壁部Ｗ２の他端側から（本実施形態では、さらに第３壁部Ｗ３の外側から）ガイドレールと摺動可能に嵌合する。
【００３１】
本実施形態のウインドレギュレータ１００に係る付勢部３３０は、キャリアプレート３００の本体より延出する平板部３３１と、平板部３３１の先端に設けられた爪部３３２とを有する。爪部３３２は、平板部３３１の先端から平坦面３０３から離れる方向（つまり外れ止め部３２０の方向）に突出するように形成されている。付勢部３３０は、可撓性を有し、爪部３３２が矢印ｘ方向に変位可能となっている。これにより、付勢部３３０は、ガイドレール２００にキャリアプレート３００が取り付けられた際、ガイドレール２００の第３壁部Ｗ３の内側に当接して、ガイドレール２００を外れ止め部３２０に近接する方向へと付勢する。
【００３２】
＜４＞嵌合構造
ガイドレール２００へのキャリアプレート３００の嵌合構造について、図４および図５を用いて説明する。
【００３３】
ガイドレール２００の縁部Ｗ４と第１壁部Ｗ１は、キャリアプレート３００の収容部３１０内の空間に収容され、この状態において、縁部Ｗ４と第１壁部Ｗ１が突起３１１によって保持されることにより、キャリアプレート３００のｘ方向およびｙ方向の移動が規制される。ここで、突起３１１は、キャリアプレート３００のｘ方向およびｙ方向の移動を規制しつつ、キャリアプレート３００のｚ方向への移動に対する摩擦力ができるだけ生じないように、縁部Ｗ４および第１壁部Ｗ１に軽く当接する位置に形成されることが好ましい。
【００３４】
ガイドレール２００の第２壁部Ｗ２は、キャリアプレート３００の平坦面３０３に当接する。
【００３５】
ガイドレール２００の第３壁部Ｗ３は、外れ止め部３２０と付勢部３３０との間に挟持される。具体的には、付勢部３３０がガイドレール２００の第３壁部Ｗ３を外れ止め部３２０の方向に付勢する力を発生させる。この付勢する力は、硬質な材料で形成される第３壁部Ｗ３（第３屈曲部２３０）を付勢方向（に図５中右方向）へ押し込むほどの力ではないので、付勢する力により、キャリアプレート２００は全体として付勢する方向とは逆の方向（図５中左方向）に動いて付勢力を低減しようとする。その結果、ガイドレール２００の第３壁部Ｗ３の基端、具体的には、第２壁部Ｗ２と第３壁部Ｗ３との接続部である外側に凸である曲面Ｒ１が、外れ止め部３２０の爪部３２２に嵌合する。これにより、外れ止め部３２０が第３壁部Ｗ３の基端を抱えるようにガイドレール２００と嵌合する。このように、キャリアプレート３００は、付勢部３３０と外れ止め部３２０とによって、ガイドレール２００の第３壁部Ｗ３とその基端に当接することにより、キャリアプレート３００のｘ方向およびｙ方向の移動が規制される。
【００３６】
このようにして、ガイドレール２００の短手方向の両端でキャリアプレート３００のｘ方向およびｙ方向の移動がしっかりと規制され、キャリアプレート３００はｘ方向およびｙ方向にがたつくことを抑制しつつ、ｚ方向に摺動可能に嵌合される。また、外れ止め部３２０がガイドレール２００をしっかりと抱えられることで、ガイドレール２００からキャリアプレート３００が脱落しがたい。
【００３７】
＜５＞取付動作
ガイドレール２００にキャリアプレート３００を嵌合させる取付動作について、図６を用いて説明する。図６は、ガイドレール２００にキャリアプレート３００を取り付ける動作を説明するための断面図である。
【００３８】
図６Ａおよび図６Ｂに示すように、キャリアプレート３００の収容部３１０にガイドレール２００の縁部Ｗ４および第１壁部Ｗ１を差し込むようにしながら、縁部Ｗ４と第１壁部Ｗ１との少なくとも一方を中心としてキャリアプレート３００をガイドレール２００の長手軸周り方向に回転して（図６の場合には、キャリアプレート３００を反時計方向に回転させている）、キャリアプレート３００をガイドレール２００の外側（図面下側）から嵌め込んでいく。より詳細には、収容部３１０の開口付近（突起３１１と平坦部３０３との間隙）には突起３１１の収容部３１０の内側にテーパーを有するので、ガイドレール２００に対してキャリアプレート３００を斜めにした状態で、略Ｓ字状の第１屈曲部２２０のうち、本体部２１０と略平行に設けられた領域である縁部Ｗ４を収容部３１０の開口に差し込んで、キャリアプレート３００をガイドレール２００に対して相対回転させて第１壁部Ｗ１の外側を収容部３１０の開口付近のテーパーに沿わせ、縁部Ｗ４が、ガイドレール２００の長手方向に対して垂直な方向から挿入されて、収容部３１０に収容された状態とする。
【００３９】
次いで、図６Ｂに示すように、第３壁部Ｗ３（第２屈曲部２３０）の先端が付勢部３３０に当接してから、さらにキャリアプレート３００を相対回転させると、付勢部３３０は第３壁部Ｗ３に押されて外れ止め部３２０から離間する方向に変位する。これにより、外れ止め部３２０と付勢部３３０との間に第３壁部Ｗ３を配置させることができる。
【００４０】
そして、図６Ｃに示すように、キャリアプレート３００の平坦面３０３がガイドレール２００の第２壁部Ｗ２に一致するまで、キャリアプレート３００を相対回転させたときに、嵌合作業は終了する。このようにして、テーパー状の凸部３１２を支点にしてガイドレール２００の長手軸周り方向に回転させることで、収容部３１０の収納空間に第１壁部Ｗ１と縁部Ｗ４（第１屈曲部２２０）とが収容され、キャリアプレート３００をガイドレール２００の外側から嵌め込むことにより、付勢部３３０と外れ止め部３２０とによりキャリアプレート３００がガイドレール２００と摺動可能に嵌合する。この状態において、キャリアプレート３００は、上述した通り、収容部３１０、外れ止め部３２０および付勢部３３０によって、ｘ方向およびｙ方向の移動がしっかりと規制され、ｘ方向およびｙ方向にがたつくことなく、ｚ方向に摺動可能にガイドレール２００に嵌合される。
【００４１】
以上説明したように、本実施の形態によれば、ガイドレール２００の短手方向の一端側と回転可能かつ摺動可能に嵌合する収容部３１０と、ガイドレール２００の短手方向の他端側と摺動可能に嵌合する外れ止め部３２０と、ガイドレール２００を外れ止め部３２０に近接する方向へと付勢する付勢部３３０とを設けたことにより、キャリアプレート３００をガイドレール２００の正面から嵌め込むことができ、かつ、スライド中のキャリアプレート３００のがたつきや、運搬の際などにキャリアプレート３００がガイドレール２００から脱落することを抑制できるウインドレギュレータ１００を実現できる。
【００４２】
また、キャリアプレート３００の外れ止め部３２０の爪部３２２がガイドレール２００の第２壁部Ｗ２と第３壁部Ｗ３との接続部である外側に凸である曲面Ｒ１に当接することで、キャリアプレート３００のｘ方向およびｙ方向の移動を規制したことにより、外れ止め部３２０をガイドレール２００の主面である第２壁部Ｗ２から突出させずに済むようになる。これにより、ガイドレール２００の近傍に他の部品を配置し易くなる。
【００４３】
なお上述の実施の形態では、付勢部３３０をガイドレール２００の第３壁部Ｗ３を付勢する位置に設けた場合について述べたが、付勢部の位置はこれに限らず、例えば第１壁部Ｗ１を外れ止め部３２０の方向に付勢する付勢部を設けてもよい。要は、付勢部は、キャリアプレート３００がガイドレール２００に嵌合したときに、ガイドレール２００を外れ止め部３２０に近接する方向へと付勢するものであればよい。さらに、第３壁部Ｗ３（第２屈曲部２３０）は必ずしも設ける必要は無い。
【００４４】
また、ガイドレール２００の短手方向の一端側を収容する収容部３１０の構成、および、その収容部３１０に収容されるガイドレール２００の短手方向の一端側の形状は、実施の形態の形状に限らず、要は、収容部の形状とガイドレールの短手方向の一端側の形状との関係が、収容部によってガイドレールの短手方向の一端側をガイドレールの主面と垂直な方向に回転させながら収容でき、かつ、嵌合した状態でキャリアプレートがガイドレールの長手方向に摺動可能なものであればよい。
【００４５】
また上述の実施の形態では、窓ガラスを上下方向に移動させるウインドレギュレータ１００に用いたが、本発明はこれに限らず、対象物が取り付けられるキャリア部材と、キャリア部材の移動を案内するガイドレールと、を備える対象物移動装置に広く適用可能であり、例えばスライドドアなどにも適用可能である。
【００４６】
上述の実施の形態は、本発明を実施するにあたっての具体化の一例を示したものに過ぎず、これらによって本発明の技術的範囲が限定的に解釈されてはならないものである。すなわち、本発明はその要旨、またはその主要な特徴から逸脱することの無い範囲で、様々な形で実施することができる。
【符号の説明】
【００４７】
１００  ウインドレギュレータ
１０１  上昇用ケーブル
１０２  下降用ケーブル
２００  ガイドレール
２１０  ガイドレール本体部
２２０  第１屈曲部
２３０  第２屈曲部
３００  キャリアプレート
３０３  平坦面
３１０  収容部
３１１  突起
３１２  凸部
３２０  外れ止め部
３２１  腕部
３２２、３３２  爪部
３３０  付勢部
３３１  平板部
Ｗ１  第１壁部
Ｗ２  第２壁部
Ｗ３  第３壁部
Ｗ４  縁部
【図１】
2017002673.tif 000003
【図２】
2017002673.tif 000004
【図３】
2017002673.tif 000005
【図４】
2017002673.tif 000006
【図５】
2017002673.tif 000007
【図６】
2017002673.tif 000008